(57)【特許請求の範囲】
【請求項１】
表面に像を保持する像保持体と、前記像保持体に対向して配置され、前記像保持体表面の像を媒体に転写する転写手段と、を有する画像形成装置本体と、
前記像保持体と前記転写手段とが対向する転写領域に搬送される媒体が収容されると共に、前記画像形成装置本体に対して着脱可能に支持された給紙手段と、
前記転写領域に挟まれた薄板状の薄板部材であって、前記画像形成装置本体と前記給紙手段との隙間を介して前記画像形成装置本体外部に導出された導出部を有し、前記導出部を引っ張ることで、前記画像形成装置本体の内部を開放せずに前記薄板部材を前記画像形成装置本体から抜き取り可能な前記薄板部材と、
を備えたことを特徴とする画像形成装置。
【請求項２】
複数の前記像保持体と、前記各像保持体に対向して配置された複数の前記転写手段と、前記複数の転写手段に支持され且つ前記転写手段と前記像保持体との間に挟まれた状態で配置されて表面に前記媒体をのせて搬送する無端帯状の転写搬送部材と、を有する前記画像形成装置本体と、
前記複数の像保持体と、前記転写搬送部材を介して前記転写手段との間に挟まれた前記薄板部材と、
を備えたことを特徴とする請求項１に記載の画像形成装置。
【請求項３】
前記複数の転写手段を前記複数の像保持体側に付勢する複数の付勢部材であって、媒体搬送方向に沿って下流側にいくにつれて前記付勢部材による付勢力が大きく設定された前記付勢部材と、
媒体搬送方向上流端の前記転写手段よりも上流側に設けられた前記導出部を有し、抜き取られる場合に、抜き取られる方向の下流端が媒体搬送方向上流側に向かって前記転写領域を通過する前記薄板部材と、
を備えたことを特徴とする請求項２に記載の画像形成装置。
【請求項４】
前記薄板部材に関する情報が記憶された情報記憶部材を有する前記薄板部材と、
前記情報記憶部材の情報を読みとる情報読取り装置と、前記情報読取り装置で読み取られた情報に基づいて前記薄板部材が前記画像形成装置本体内部にあるか否かを判別する薄板部材有無判別手段と、前記薄板部材が前記画像形成装置本体内部にあると判別された場合に前記画像形成装置本体の作動を停止する作動停止制御手段と、を有する前記画像形成装置本体と、
を備えたことを特徴とする請求項１ないし３のいずれかに記載の画像形成装置。
【請求項５】
導電性の導電紙により構成された前記薄板部材、
を備えたことを特徴とする請求項１ないし４のいずれかに記載の画像形成装置。
【請求項６】
前記転写領域の上流側に隣接して配置されて前記転写領域に媒体を搬送する時期を調整する媒体搬送時期調整部材、を有する前記画像形成装置本体と、
前記媒体搬送時期調整部材を避けて配置された前記薄板部材と、
を備えたことを特徴とする請求項１ないし５のいずれかに記載の画像形成装置。
【発明の詳細な説明】
【技術分野】
【０００１】
本発明は、画像形成装置に関する。
【背景技術】
【０００２】
画像形成装置において、運搬時や保管時に、内部に配置された部材同士の接触による汚損や光劣化しやすい感光体のような部材を光などから保護する技術として、特許文献１〜４に記載の技術が知られている。
特許文献１としての特開２００６−２５９６２５号公報には、上下方向に直線状に並設された４個の電子写真感光体ドラム（１Ｃ，１Ｙ，１Ｍ，１Ｂｋ）と、前記感光体ドラム（１）に対向して並設された転写ローラ（８Ｃ，８Ｙ，８Ｍ，８Ｂｋ）とを有するカラー画像形成装置（１００）が記載されており、前記カラー画像形成装置（１００）には、感光体ドラム（１）と転写ローラ（８）の間の転写位置に、転写材（Ｓ）を搬送する転写材搬送ベルト（２）が配置されている。特許文献１に記載の技術では、感光体保護シート（４０）を、カラー画像形成装置（１００）の内部である、感光体ドラム（１）と転写材搬送ベルト（２）の間に挟みこんで、カラー画像形成装置（１００）の運搬の際の、感光体ドラム（１）と転写材搬送ベルト（２）との摺擦を低減させて保護し、使用時には感光体保護シート（４０）を、転写材搬送ベルト（２）等で排出トレイ（１７）に排出することで、内部から自動で排出させるか、メンテナンスドアを開けて内部から手動で取り出している。
【０００３】
特許文献２としての特開平６−１４８９６５号公報には、感光ドラム（７）その他を有し、感光ドラム（７）が露出している現像プロセスユニット（１３）が記載されている。特許文献２の技術では、現像プロセスユニット（１３）の感光ドラム（７）の露出部に、保護カバー（１３）を取り付け、感光ドラム（７）を接触などから保護している。そして、特許文献２の技術では、画像形成装置に装着されて使用される際には、モータ（３７）の駆動により用紙搬送路（６）の搬送系が駆動し、プロセスユニット（１３）から保護カバー（２２）が剥がされ、画像形成装置の内部から排紙部（５）に自動的に排出されている。
【０００４】
特許文献３としての特開２００５−３００８４９号公報には、感光体（５０）と中間転写体（６４）その他を有し、画像形成装置本体に装着される像形成ユニット（９６）が記載されている。特許文献３の技術では、新品の像形成ユニット（９６）に、感光体（５０）と中間転写体（６４）の露出部を覆う保護紙（１０１）を取り付け、感光体（５０）と中間転写体（６４）を接触などから保護している。そして、特許文献３の技術では、像形成ユニット（９６）が画像形成装置本体（１２）に装着された後に、開閉カバー（１６）が開いた状態で、像形成ユニット（１３）から保護紙（２２）を、ユーザーが抜き取っている。
【０００５】
特許文献４としての特開２００６−２８５０９１号公報には、感光体ドラム（１）その他を一体化したプロセスカートリッジ（２６）が、着脱可能に装着される画像形成装置が記載されている。特許文献４に記載の技術では、画像形成装置本体とプロセスカートリッジ（２６）の間に保護シート（４０）を挟み、プロセスカートリッジ（２６）自体を運搬時の振動から保護し、使用時にはドアを開き、ユーザーが画像形成装置内部から取り除いている。
【０００６】
【特許文献１】特開２００６−２５９６２５号公報（「００１０」〜「００１７」、「００３３」〜「００３４」、「００５０」〜「００５４」）
【特許文献２】特開平６−１４８９６５号公報（「００２３」〜「００２４」、「００２８」〜「００３０」、図１、図２）
【特許文献３】特開２００５−３００８４９号公報（「００９０」〜「００９７」、図１４、図１５）
【特許文献４】特開２００６−２８５０９１号公報（「００１４」〜「００１７」、「００２７」、「００２９」、図１、図５）
【発明の開示】
【発明が解決しようとする課題】
【０００７】
本発明は、薄板部材を簡易に取り出せ、且つ取り出し忘れを低減することを技術的課題とする。
【課題を解決するための手段】
【０００８】
前記技術的課題を解決するために、請求項１に記載の発明の画像形成装置は、
表面に像を保持する像保持体と、前記像保持体に対向して配置され、前記像保持体表面の像を媒体に転写する転写手段と、を有する画像形成装置本体と、
前記像保持体と前記転写手段とが対向する転写領域に搬送される媒体が収容されると共に、前記画像形成装置本体に対して着脱可能に支持された給紙手段と、
前記転写領域に挟まれた薄板状の薄板部材であって、前記画像形成装置本体と前記給紙手段との隙間を介して前記画像形成装置本体外部に導出された導出部を有し、前記導出部を引っ張ることで、前記画像形成装置本体の内部を開放せずに前記薄板部材を前記画像形成装置本体から抜き取り可能な前記薄板部材と、
を備えたことを特徴とする。
【０００９】
請求項２に記載の発明は、請求項１に記載の画像形成装置において、
複数の前記像保持体と、前記各像保持体に対向して配置された複数の前記転写手段と、前記複数の転写手段に支持され且つ前記転写手段と前記像保持体との間に挟まれた状態で配置されて表面に前記媒体をのせて搬送する無端帯状の転写搬送部材と、を有する前記画像形成装置本体と、
前記複数の像保持体と、前記転写搬送部材を介して前記転写手段との間に挟まれた前記薄板部材と、
を備えたことを特徴とする。
【００１０】
請求項３に記載の発明は、請求項２に記載の画像形成装置において、
前記複数の転写手段を前記複数の像保持体側に付勢する複数の付勢部材であって、媒体搬送方向に沿って下流側にいくにつれて前記付勢部材による付勢力が大きく設定された前記付勢部材と、
媒体搬送方向上流端の前記転写手段よりも上流側に設けられた前記導出部を有し、抜き取られる場合に、抜き取られる方向の下流端が媒体搬送方向上流側に向かって前記転写領域を通過する前記薄板部材と、
を備えたことを特徴とする請求項２に記載の画像形成装置。
【００１１】
請求項４に記載の発明は、請求項１ないし３のいずれかに記載の画像形成装置において、
前記薄板部材に関する情報が記憶された情報記憶部材を有する前記薄板部材と、
前記情報記憶部材の情報を読みとる情報読取り装置と、前記情報読取り装置で読み取られた情報に基づいて前記薄板部材が前記画像形成装置本体内部にあるか否かを判別する薄板部材有無判別手段と、前記薄板部材が前記画像形成装置本体内部にあると判別された場合に前記画像形成装置本体の作動を停止する作動停止制御手段と、を有する前記画像形成装置本体と、
を備えたことを特徴とする。
【００１２】
請求項５に記載の発明は、請求項１ないし４のいずれかに記載の画像形成装置において、
導電性の導電紙により構成された前記薄板部材、
を備えたことを特徴とする。
【００１３】
請求項６に記載の発明は、請求項１ないし５のいずれかに記載の画像形成装置において、
前記転写領域の上流側に隣接して配置されて前記転写領域に媒体を搬送する時期を調整する媒体搬送時期調整部材、を有する前記画像形成装置本体と、
前記媒体搬送時期調整部材を避けて配置された前記薄板部材と、
を備えたことを特徴とする。
【発明の効果】
【００１４】
請求項１、２に記載の発明によれば、薄板部材によって、像保持体や転写手段などが、
運搬、保管の際、直接接触して擦られることを防ぐと共に、本発明の構成を有しない場合
に比べて、使用の際には、給紙手段近傍の導出部を引くことで、画像形成装置本体から簡
易に取り出すことができると共に、取り忘れを低減することができる。
請求項３に記載の発明によれば、像保持体と転写手段の間を通過する薄板部材を引き出
すにつれて、引き出す際の抵抗が小さくなり、本発明の構成を有しない場合に比べて、全体として弱い力で簡易に薄板部材を引き出すことができる。
【００１５】
請求項４に記載の発明によれば、薄板部材を取り除く前に、画像形成装置本体が誤動作しないようにすることができる。
請求項５に記載の発明によれば、像保持体に接触する薄板部材が抜き出される際に、像保持体に摩擦帯電による影響が発生しにくく、画質の劣化を低減することができる。
請求項６に記載の発明によれば、薄板部材が媒体搬送時期調整部材に接触せず、薄板部材との接触に伴う媒体搬送時期調整部材の破損などを防止することができる。
【発明を実施するための最良の形態】
【００１６】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
図１は本発明の実施例１の画像形成装置の斜視説明図である。
図２は本発明の実施例１の画像形成装置の全体説明図である。
図３は本発明の実施例１の画像形成装置のサイドカバーが開放された状態の斜視説明図である。
図１〜３において、本発明の実施例１の画像形成装置の一例としてのプリンタＵは、画像が記録される媒体の一例としての記録媒体Ｓが収容される給紙手段の一例としての給紙容器ＴＲ１が下部に収容されており、前記給紙容器ＴＲ１の前面には、記録媒体Ｓを手差しで供給する手差し供給部ＴＲ１１が設けられている。また、前記プリンタＵの上面には媒体排出部ＴＲｈが設けられている。さらに、プリンタＵの上部にはボタン入力等の各種操作を行うための操作部ＵＩが設けられている。
【００１８】
実施例１のプリンタＵは、画像形成装置本体Ｕ１と、画像形成装置本体Ｕ１の前側に設けられた開閉可能な開閉部の一例としてのフロントカバーＵ２と、前記画像形成装置Ｕ１の側面に設けられた開閉可能な開閉部の一例としてのサイドカバーＵ３と、を有する。前記フロントカバーＵ２は、像保持体カートリッジ、現像装置、故障した部材等の交換、清掃保守や紙詰まりした記録媒体Ｓを除去するために画像形成装置本体Ｕ１の内部を開放する際に開放され、前記サイドカバーＵ３は、現像剤補給容器、いわゆるトナーカートリッジの交換を行う際に開放される。
図３において、プリンタＵのサイドカバーＵ３を開放位置に移動させると、プリンタＵのサイドが開放され、現像剤補給容器の一例としてのトナーカートリッジＴＣｙ，ＴＣｍ，ＴＣｃ，ＴＣｋが取り扱い可能となる。実施例１では、前記トナーカートリッジＴＣｙ〜ＴＣｋは、下から順に、トナーカートリッジＴＣｙ、トナーカートリッジＴＣｍ、トナーカートリッジＴＣｃ、トナーカートリッジＴＣｋ、の順に着脱可能に装着されている。前記トナーカートリッジＴＣｙ，ＴＣｍ，ＴＣｃ，ＴＣｋは、Ｙ（イエロー），Ｍ（マゼンタ），Ｃ（シアン），Ｋ（黒）の色の現像剤をそれぞれ収容しており、画像形成装置本体Ｕ１に各色の現像剤を補給している。
【００１９】
図２において、プリンタＵは、プリンタＵの各種制御を行う制御部Ｃと、制御部Ｃにより作動を制御される画像処理部ＩＰＳ、像書込装置駆動回路ＤＬ、および電源装置Ｅ等を有している。電源装置Ｅは、後述の帯電器の一例としての帯電ロールＣＲｙ，ＣＲｍ，ＣＲｃ，ＣＲｋ、現像剤保持体の一例としての現像ローラおよび転写手段の一例としての転写ロールＴ１ｙ，Ｔ１ｍ，Ｔ１ｃ，Ｔ１ｋ等に電圧を印加する。
前記画像処理部ＩＰＳは、外部の画像情報送信装置等から入力された印刷情報を、Ｋ（黒），Ｙ（イエロー），Ｍ（マゼンタ），Ｃ（シアン）の４色の画像に対応した潜像形成用の画像情報に変換して、所定のタイミングで像書込装置駆動回路ＤＬに出力する。像書込装置駆動回路ＤＬは、入力された各色の画像情報に応じて駆動信号を潜像書込装置ＲＯＳに出力する。前記潜像書込装置ＲＯＳは、駆動信号に応じて、各色の画像書き込み用の画像書込光の一例としてのレーザビームＬｙ，Ｌｍ，Ｌｃ，Ｌｋを出射する。
【００２０】
図２において、前記潜像書込装置ＲＯＳの前方にはＹ（イエロー），Ｍ（マゼンタ），Ｃ（シアン），Ｋ（黒）の各色の可視像の一例としてのトナー像を形成する可視像形成装置ＵＹ，ＵＭ，ＵＣ，ＵＫが配置されている。
Ｋ（黒）の可視像形成装置ＵＫは回転する像保持体の一例としての感光体Ｐｋを有する。前記感光体Ｐｋの周囲には、帯電器の一例としての帯電ロールＣＲｋ、感光体表面の静電潜像を可視像に現像する現像装置Ｇｋ、感光体Ｐｋ表面に残留した現像剤を除去する像保持体清掃器の一例としての感光体クリーナＣＬｋ等が配置されている。
【００２１】
前記感光体Ｐｋは、帯電ロールＣＲｋと対向する帯電領域で帯電ロールＣＲｋにより表面を一様に帯電された後、潜像形成領域でレーザビームＬｋにより潜像が書き込まれる。書き込まれた静電潜像は現像装置Ｇｋと対向する現像領域において静電潜像が可視像化される。
実施例１の黒色の可視像形成装置ＵＫは、感光体Ｐｋ、帯電ロールＣＲｋ、感光体クリーナＣＬｋが一体的に構成されて交換可能な像保持体カートリッジと、現像装置Ｇｋにより構成された交換可能な現像カートリッジと、により構成されている。
他の色の可視像形成装置ＵＹ，ＵＭ，ＵＣも、黒色の可視像形成装置ＵＫと同様に、画像形成装置本体Ｕ１に対して着脱可能な像保持体カートリッジと現像カートリッジとにより構成されている。なお、実施例１では、前記４つの可視像形成装置ＵＹ〜ＵＫは、着脱可能な枠体Ｕｔ、いわゆる交換フレームＵｔに支持されており、４つの可視像形成装置ＵＹ〜ＵＫが画像形成装置本体Ｕ１に対して一体的に交換可能に構成されている。
【００２２】
図２において、前記感光体Ｐｙ〜Ｐｋの前方には、フロントカバーＵ２に支持された記録媒体搬送装置の一例としてのベルトモジュールＢＭが配置されている。前記ベルトモジュールＢＭは、転写搬送部材の一例としての媒体搬送ベルトＢと、媒体搬送ベルトＢを支持する駆動部材の一例としてのベルト駆動ロールＲｄ、従動部材の一例としての従動ロールＲｊを含む保持搬送部材支持系の一例としてのベルト支持ロール（Ｒｄ＋Ｒｊ）と、各感光体Ｐｙ，Ｐｍ，Ｐｃ，Ｐｋに対向して配置された転写手段の一例としての転写ロールＴ１ｙ，Ｔ１ｍ，Ｔ１ｃ，Ｔ１ｋと、転写搬送部材清掃器の一例としてのベルトクリーナＣＬｂとを有する。前記媒体搬送ベルトＢは、前記ベルト支持ロール（Ｒｄ＋Ｒｊ）により回転可能に支持されている。
【００２３】
また、前記転写ロールＴ１ｙ，Ｔ１ｍ，Ｔ１ｃ，Ｔ１ｋは、付勢部材の一例としての圧縮バネＳＰｙ，ＳＰｍ，ＳＰｃ，ＳＰｋにより、前記感光体Ｐｙ，Ｐｍ，Ｐｃ，Ｐｋ側に付勢されており、媒体搬送ベルトＢは感光体Ｐｙ〜Ｐｋ側に所定の接触圧で接触する。ここで、前記圧縮バネＳＰｙ〜ＳＰｋによる付勢力は、感光体Ｐｙ、感光体Ｐｍ、感光体Ｐｃ、搬感光体Ｐｋ、の順に搬送方向下流側に行くほど強くなるように設定されている。実施例１では、圧縮バネＳＰｙによる付勢力は１７０ｇｗに、圧縮バネＳＰｍによる付勢力は１８０ｇｗに、圧縮バネＳＰｃによる付勢力は１９０ｇｗに、圧縮バネＳＰｋによる付勢力は２００ｇｗに設定されている。
【００２４】
なお、前記画像濃度センサＳＮ１は、所定の時期に、制御部Ｃの図示しない画像濃度調整手段により形成される濃度検出用の画像、いわゆるパッチ画像の濃度を検出するためのものであり、画像濃度調整手段は、前記画像濃度検出部材で検出された画像濃度に基づいて、帯電ロールＣＲｙ〜ＣＲｋや現像装置Ｇｙ〜Ｇｋ、転写ロールＴ１ｙ〜Ｔ１ｋへ印加する電圧の調整、潜像書込光Ｌｙ〜Ｌｋの強度の調整を行うことにより、画像濃度の調整や補正、いわゆる、プロセスコントロールを行う。
【００２５】
媒体搬送ベルトＢの下方に配置された給紙容器ＴＲ1の記録媒体Ｓは、給紙部材の一例としてのピックアップロールＲｐにより取り出され、さばき部材の一例としてのさばきロールＲｓにより一枚ずつにさばかれ、記録媒体搬送路ＳＨに搬送される。
記録媒体搬送路ＳＨの記録媒体Ｓは、媒体搬送時期調整部材の一例としてのレジロールＲｒに送られる。前記レジロールＲｒは、所定のタイミングで、転写領域Ｑ３ｙに前記記録媒体Ｓを搬送する。なお、実施例１のレジロールＲｒは、媒体搬送時期調整ユニットの一例としてのレジロールユニットＵＲｒにより構成されている。そして、前記レジロールユニットＵＲｒは、画像形成装置本体Ｕ１に、レジロールＲｒの汚損時などに一体的に交換可能に支持されている。
【００２６】
一方、前記手差し供給部ＴＲ１１から供給される記録媒体Ｓは、利用者により、記録媒体Ｓの前端がレジロールＲｒに到達するまで挿入され、レジロールＲｒにより所定のタイミングで転写領域Ｑ３ｙに搬送される。
【００２７】
前記媒体搬送ベルトＢにより、記録媒体Ｓは、前記感光体Ｐｙ〜Ｐｋと接触する前記転写領域Ｑ３y，Ｑ３m，Ｑ３c，Ｑ３kを順次通過する。
前記転写領域Ｑ３y，Ｑ３m，Ｑ３c，Ｑ３kにおいて媒体搬送ベルトＢの裏面側に配置された転写ロールＴ１y，Ｔ１m，Ｔ１c，Ｔ１kには、制御部Ｃにより制御される電源回路Ｅから所定のタイミングでトナーの帯電極性と逆極性の転写電圧が印加される。
多色画像の場合、前記各感光体Ｐｙ〜Ｐｋ上のトナー像は前記転写ロールＴ１y，Ｔ１m，Ｔ１c，Ｔ１kにより媒体搬送ベルトＢ上の記録媒体Ｓに重ねて転写される。また、単色画像、いわゆる、モノクロ画像の場合、感光体Ｐｋ上にＫ（黒）のトナー像のみが形成され、このＫ（黒）のトナー像のみが転写ロールＴ１kにより記録媒体Ｓに転写される。
トナー像転写後の感光体Ｐｙ〜Ｐｋは、感光体クリーナＣＬｙ〜ＣＬｋにより表面に残留したトナーが回収されて清掃され、再び帯電ロールＣＲｙ〜ＣＲｋにより帯電される。
【００２８】
前記トナー像が転写された記録媒体Ｓは、定着器の一例としての定着装置Ｆの加熱定着部材の一例としての加熱ロールＦｈと、加圧定着部材の一例としての加圧ロールＦｐとが圧接して形成する定着領域Ｑ５で定着される。画像が定着された記録媒体Ｓは、媒体排出部材の一例としての排出ロールＲhから媒体排出部ＴＲｈに排出される。
記録媒体Ｓが離隔した後の前記媒体搬送ベルトＢは、前記ベルトクリーナＣＬbにより清掃される。
【００２９】
（手差し供給路等について）
図４は本発明の実施例１の要部拡大図である。
図４において、前記給紙トレイＴＲ１には、前記手差し供給部ＴＲ１１の手差し供給口ＴＲ１１ａから延びる上側手差し案内部１が形成されている。また、前記給紙トレイＴＲ１には、前記上側手差し案内部１に対向する下側手差し案内部２が形成されている。前記下側手差し案内部２の外端は、滑らかに下方に湾曲する弧状の面により構成されている。前記画像形成装置本体Ｕ１には、前記上側手差し案内部１から前記レジロールＲｒに延びる上側本体側案内部３が形成され、さらに、前記下側手差し案内部２からレジロールＲｒまで延びる下側本体側案内部４が形成されている。
前記上側手差し案内部１、下側手差し案内部２、上側本体側案内部３及び下側本体側案内部４により、手差し供給路ＳＨ１１が構成されている。なお、前記手差し供給路ＳＨ１１において、上側手差し案内部１と上側本体側案内部３との間には、薄板部材通過隙間６が形成されている。
【００３０】
前記上側本体側案内部３及び下側本体側案内部４の上方には、前記レジロールユニットＵＲｒが配置されている。前記レジロールユニットＵＲｒの上面と前記ベルトモジュールＢＭの下端部における媒体搬送ベルトＢの下端との間には、媒体幅方向に幅が広い隙間である本体側薄板部材通過隙間の一例としてのベルトレジ間隙間７が形成されている。また、レジロールユニットＵＲｒとフロントカバーＵ２の間には、媒体幅方向に幅が広い薄板部材通過空間８が形成されている。前記薄板部材通過空間８の下方は、前記薄板部材通過隙間６と繋がっている。また、前記薄板部材通過空間８の上方は、ベルトレジ間隙間７と繋がっている。前記薄板部材通過隙間６、ベルトレジ間隙間７及び薄板部材通過空間８により薄板部材通過部６＋７＋８が構成される。前記レジロールユニットＵＲｒの上方で、ベルトモジュールＢＭの従動ロールＲｊの後方には、情報読取り装置１１が配置されている。
【００３１】
図５は薄板部材が装着された画像形成装置の斜視図である。
図６は薄板部材が装着された画像形成装置の要部拡大図である。
図７は、薄板部材の説明図であり、図７Ａ、図７Ｂは情報記憶部材を有さない場合の説明図、図７Ｃは情報記憶部材を有した場合の説明図である。
図５〜７において、薄板部材の一例としての導電紙Ｓｅは、長方形状で薄板状の、いわゆるシート形状をしている。前記導電紙Ｓｅは、実施例１の画像形成装置Ｕ１における、手差し供給口ＴＲ１１ａと、薄板部材通過部６＋７＋８と、搬送ベルトＢと感光体Ｐｙ〜Ｐｋの間と、を通る経路長よりも抜出方向の長さが長い。実施例１においては、導電紙Ｓｅの抜出方向の長さは、一端が上端の感光体Ｐｋと媒体搬送ベルトＢの接触部により挟まれた状態で、他端が手差し供給口ＴＲ１１ａから外方に導出され且つ、利用者が前記導電紙Ｓｅの他端部を摘んで抜出が可能な長さに設定されている。なお、実施例１では、前記導電紙Ｓｅの幅は、感光体Ｐｙ〜Ｐｋ、転写ロールＴ１ｙ〜Ｔ１ｋの左右方向の長さよりも長い。
【００３２】
図７Ａ、図７Ｂにおいて、前記導電紙Ｓｅは、他端側に導出部Ｓｅ１を有している。前記導出部Ｓｅ１には、利用者に画像形成装置本体Ｕ１から前記導電紙Ｓｅ１を抜き取らせる指示表示２１が記載されている。図７Ａに示す実施例１の導電紙Ｓｅでは、前記指示表示２１の一例として、記載された薄板部材Ｓｅを引っ張る旨の注意書き２１ａが記載されている。また、図７Ｂに示す他の例としての導電紙Ｓｅには、指示表示２１の他の一例として、引っ張る方向の矢印２１ｂが記載されている。前記指示表示２１は、図５、図６に示すように、導電紙Ｓｅの他端部である導出部Ｓｅ１が手差し供給口ＴＲ１１ａから外方に導出される際に、利用者に視認されるように、導電紙ＳｅがプリンタＵに装着される。
【００３３】
図７Ｃにおいて、プリンタＵには、前記導電紙Ｓｅに替えて、薄板部材の他の一例としての保護シートＳｐの装着が可能である。前記保護シートＳｐは、前記導電紙Ｓｅと同様の形状をしており、導出部Ｓｐ１を有し、前記導出部Ｓｐ１には、指示表示２１が記載されている。また、前記保護シートＳｐには、図５、図６のように保護シートＳｐをプリンタＵに装着したときに、前記情報読取り装置１１と対応する位置に、情報記憶部材２２が配置されている。なお、実施例１の情報記憶部材２２では、非接触で情報の送受信が可能な技術、例えばＲＦＩＤ（Radio Frequency Identification）技術が採用されている。これにより、画像形成装置本体Ｕ１の電源がオンの状態では、前記情報記憶部材２２の情報が、情報読取り装置１１により読取られ、前記情報に基づいて前記制御部Ｃの薄板部材有無判別手段Ｃ１により、保護シートＳｐが画像形成装置本体Ｕ１内部にあるか否か判別される。実施例１では、前記情報記憶部材２２から情報が読取られた場合、薄板部材有無判別手段Ｃ１は、保護シートＳｐが画像形成装置本体Ｕ１内部にあると判別する。前記薄板部材有無判別手段Ｃ１により、保護シートＳｐが画像形成装置本体Ｕ１内部にあると判別された場合、前記制御部Ｃの作動停止制御手段Ｃ２は、画像形成装置本体Ｕ１の作動を停止する。すなわち、画像形成装置本体Ｕ１の電源がオンの状態で、保護シートＳｐが画像形成装置本体Ｕ１の内部から取り除かれる前に、外部の画像情報送信装置等から印刷情報が画像形成装置本体Ｕ１に送られる事などがあっても、画像形成装置本体Ｕ１の媒体搬送ベルトＢ等は駆動せず、薄板部材である前記保護シートＳｐが搬送路ＳＨ１に詰まることなどは防止される。
【００３４】
（実施例１の作用）
前記構成を備えた実施例１のプリンタＵにおいて、前記薄板部材Ｓｅ，Ｓｐを装着する際、前記フロントカバーＵ２を開放位置に移動させた状態で、薄板部材Ｓｅ，Ｓｐを感光体Ｐｙ〜Ｐｋと、媒体搬送ベルトＢとの間に配置し、前記薄板部材Ｓｅ，Ｓｐの導出部Ｓｅ１，Ｓｐ１を、レジストロールＲｒを迂回した薄板部材通過部６＋７＋８を通過させ、手差し供給部ＴＲ１１から外方に導出させ、給紙トレイＴＲ１の前面に配置する。そして、フロントカバーＵ２を通常位置に移動させると、前記薄板部材Ｓｅ，Ｓｐは、図５、図６に示すように画像形成装置本体Ｕ１に装着され、前記転写ロールＴ１ｙ〜Ｔ１ｋの圧縮バネＳＰｙ〜ＳＰｋにより、感光体Ｐｙ〜Ｐｋと媒体搬送ベルトＢの間に、挟持された状態で保持される。なお、保護シートＳｐが装着される場合、情報記憶部材２２が情報読取り装置１１の読取り位置に来るように装着されている。
したがって、前記感光体Ｐｙ〜Ｐｋと、媒体搬送ベルトＢや転写ロールＴ１ｙ〜Ｔ１ｋとの接触や磨耗から保護され、プリンタＵは運搬、保管、設置される。また、前記プリンタＵを設置して使用する際に、前記給紙容器ＴＲ１、手差し供給部ＴＲ１１の前面に導出された導出部Ｓｅ１，Ｓｐ１が視認される。
【００３５】
プリンタＵが設置されて、使用が開始される際に、前記導出部Ｓｅ１，Ｓｐ１の指示表示２１を視認した利用者は、前記指示表示２１の指示に従って、前記導出部Ｓｅ１，Ｓｐ１を引っ張る。前記薄板部材Ｓｅ，Ｓｐは、画像形成装置本体Ｕ１から引き出される。この際に、前記薄板部材Ｓｅ，Ｓｐは、手差し供給部ＴＲ１１における湾曲形状の下側手差し案内部２により、薄板部材Ｓｅ，Ｓｐに無理な力が掛かって途中で切断されることなく引っ張られる。また、前記薄板部材Ｓｅ，Ｓｐは、レジストロールＲｒを迂回した薄板部材貫通部６＋７＋８を通過し、レジストロールＲｒを擦って損傷させることもなく、レジストロールＲｒの挟持力に伴う抵抗を受けることもなく引っ張られる。そして、前記薄板部材Ｓｅ，Ｓｐの一端側が、付勢力がＳＰｋ，ＳＰｃ，ＳＰｍ，ＳＰｙの順に弱い圧縮バネＳＰｙ〜ＳＰｋにより、上流側になるほど接触圧が弱くなる感光体Ｐｙ〜Ｐｋと媒体搬送ベルトＢの間を通過し、薄板部材Ｓｅ，Ｓｐが画像形成装置本体Ｕ１から引き出されるほど、抵抗が小さくなり、小さい力で引き出される。したがって、前記フロントカバーＵ２を開放させることなく、給紙容器ＴＲ１の近傍の導出部Ｓｅ１，Ｓｐ１を引くことで、簡易に画像形成装置本体Ｕ１から薄板部材Ｓｅ，Ｓｐを取り出せ、また、取り忘れも少ない。なお、導電紙Ｓｅが装着される場合、導電紙Ｓｅが、感光体Ｐｙ〜Ｐｋに触れながら移動しても、その導電性により、摩擦帯電による感光体Ｐｙ〜Ｐｋの汚損の発生が低減された状態で引き出される。また、感光体Ｐｙ〜Ｐｋで摩擦帯電による影響が発生しにくく、記録媒体Ｓに転写される画質の劣化が低減される。
【００３６】
前記プリンタＵに保護シートＳｐが装着される場合、保護シートＳｐを取り抜かずにプリンタＵの電源をオンにしても、情報記憶部材２２の情報が情報読取り装置１１により読取られ、プリンタＵが作動しない。すなわち、前記保護シートＳｐを取り出す前に、プリンタＵの電源がオンの状態で、誤ってプリンタＵを作動させるような操作、例えば、外部の情報出力装置から印刷情報をプリンタＵに送ってしまう操作などが行われても、画像形成装置本体Ｕ１の画像形成動作は行われず、保護シートＳｐが画像形成装置本体Ｕ１の内部に引き込まれて、詰まるなどということが防止される。また、途中まで抜き出されて、情報記憶部材２２と情報読取り装置１１の位置がずれた状態で、プリンタＵが作動しても、保護シートＳｐが媒体搬送ベルトＢにより引き込まれる途中で、情報記憶部材２２が情報読取り装置１１の位置に到達し、薄板部材有無判別手段Ｃ１と作動停止制御手段Ｃ２により、プリンタＵの作動が停止される。
【実施例２】
【００３７】
図８は実施例２の画像形成装置の全体説明図である。
次に本発明の実施例２の説明をするが、この実施例２の説明において、前記実施例１の構成要素に対応する構成要素には同様の符号を付して、その詳細な説明は省略する。
この実施例は下記の点で、前記実施例１と相違しているが、他の点では前記実施例１と同様に構成される。
【００３８】
（プリンタＵ′）
図８において、実施例２のプリンタＵ′は、画像形成装置本体Ｕ１′と、画像形成装置本体Ｕ１′の前側のフロントカバーＵ２′と、画像形成装置本体Ｕ１′の下方の給紙容器ＴＲ１′等を有する。前記フロントカバーＵ２′は、後述するプロセスユニットＰＵや、故障した部材等の交換、清掃保守や紙詰まりした記録媒体Ｓを除去するために画像形成装置本体Ｕ１′の内部を開放する際に開放される。また、前記フロントカバーＵ２′は、手差しにより記録媒体Ｓを供給する際に開放される。
前記画像形成装置本体Ｕ１′は、制御部Ｃ′、画像処理部ＩＰＳ′、像書込装置駆動回路ＤＬ′等を有しており、前記制御部Ｃ′は、薄板部材有無判別手段Ｃ１′と作動停止制御手段Ｃ２′を有している。
前記画像処理部ＩＰＳ′は、外部の画像情報送信装置等から入力された印刷情報を、Ｋ（黒）の画像に対応した潜像形成用の画像情報に変換して、所定のタイミングで像書込装置駆動回路ＤＬ′に出力する。前記像書込装置駆動回路ＤＬ′は、入力された画像情報に応じて駆動信号を潜像書込装置ＲＯＳ′に出力する。前記潜像書込装置ＲＯＳ′は、駆動信号に応じて、レーザビームＬｋ′を出射する。
【００３９】
前記潜像書込装置ＲＯＳ′の下方には、可視像形成装置の一例としてのプロセスユニットＵＰが着脱可能に装着されている。前記プロセスユニットＵＰは、像保持体ユニットの一例としての感光体ユニットＵＰ１を有している。前記感光体ユニットＵＰ１は、感光体Ｐｋ′と、前記感光体Ｐｋ′の周囲の帯電ロールＣＲｋ′、感光体クリーナＣＬｋ′等を有している。
前記感光体ユニットＵＰ１の上側前方には、現像ユニットＵＰ２が支持されている。前記現像ユニットＵＰ２は、現像剤収容容器ＴＣｋ′、現像装置Ｇｋ′等を有している。
前記感光体ユニットＵＰ１と現像ユニットＵＰ２により、実施例２のプロセスユニットＵＰが構成されている。なお、前記プロセスユニットＵＰの前記感光体ユニットＵＰ１と現像ユニットＵＰ２の間には、画像書込光通過孔ＵＰａが形成されており、前記画像書込光通過孔ＵＰａをレーザビームＬｋ′が通過し、感光体Ｐｋ′に潜像が書き込まれる。
【００４０】
前記プロセスユニットＵＰの下方には、転写ユニットＵＴが配置されている。前記転写ユニットＵＴは、上側前方に転写部材の一例としての転写ロールＴ１ｋ′を有し、前記転写ロールＴ１ｋ′の下側後方に媒体案内部材の一例としての転写後シートガイドＳＧＴ等を有している。前記転写ロールＴ１ｋ′は、前記感光体Ｐｋ′との接触領域により転写領域Ｑ３′を形成し、感光体Ｐｋ′上のトナー像を記録媒体Ｓに転写する。
【００４１】
前記給紙容器ＴＲ１′の前方上方には、ピックアップローラＲｐ′が配置されている。前記ピックアップローラＲｐ′の前方には、さばきローラＲｓ′が設けられている。給紙容器ＴＲ１′に収容されている記録媒体Ｓは、ピックアップローラＲｐ′、さばきローラＲｓ′により、上方の媒体搬送路ＳＨ１′に搬送される。そして、媒体搬送路ＳＨ１′に配置された搬送ローラＲａ′、レジストローラＲｒ′により、転写領域Ｑ３′に搬送される。
一方、手差しにより記録媒体Ｓが供給される場合、前記フロントカバーＵ２′が開放され、給紙容器ＴＲ１′の上方に形成された手差し供給路ＳＨ２′に記録媒体Ｓが供給される。前記手差し供給路ＳＨ２′には、搬入部材の一例としての搬入ロールＲｎ′が設けられている。前記搬入ロールＲｎ′により記録媒体Ｓは、媒体搬送路ＳＨ１′の搬送ローラＲａ′に搬送され、搬送ローラＲａ′、レジストローラＲｒ′により、転写領域Ｑ３′に搬送される。
【００４２】
転写領域Ｑ３′において画像が記録された記録媒体Ｓは、前記転写後シートガイドＳＧＴに案内されて、転写ユニットＵＴの後方に配置された定着装置Ｆ′に搬送される。前記定着装置Ｆ′において、加圧ロールＦｐ′及び加熱ロールＦｈ′の接触領域である定着領域Ｑ５′を通過した記録媒体Ｓは、記録媒体Ｓの搬送方向を切り替える切替部材の一例としての切替ゲートＧＴにより排出路ＳＨ３′に案内される。そして、排出部材の一例としての排出ロールＲｈ′により排出トレイＴＲｈ′に排出される。なお、排出路ＳＨ３′の前記切替ゲートＧＴ′が配置されている位置から、給紙容器ＴＲ１′まで反転路ＳＨ４′が延びている。これにより、両面印刷時には、一度、排出路ＳＨ３′に搬送された記録媒体Ｓが、排出方向とは逆に搬送される。そして、前記記録媒体Ｓは、切替ゲートＧＴにより反転路ＳＨ４′に案内されて、表裏逆転した状態で給紙容器ＴＲ１′に収容され、もう一度画像形成動作が行われ、もう一面にも画像が記録される。
【００４３】
図９は実施例２の画像形成装置本体に薄板部材が装着された状態の要部拡大図である。
図９において、一対の前記さばきロールＲｓ′の前側は、給紙容器ＴＲ１′の上部に支持されている。また、前記さばきロールＲｓ′の後側は、画像形成装置本体Ｕ１′の媒体搬送路ＳＨ１′の上流端に支持されている。前記給紙容器ＴＲ１′がプリンタＵ′に装着されると、前記前側及び後側のさばきロールＲｓ′が接触し、記録媒体Ｓが供給されると記録媒体Ｓをさばく。
給紙容器ＴＲ１′が装着されたプリンタＵ′には、前記さばきロールＲｓ′の前方で、給紙容器ＴＲ１′と画像形成装置本体Ｕ１′の間に、薄板部材通過隙間６′が形成されている。
前記さばきロールＲｓ′の上方には、情報読取り装置１１′が配置されており、保護シートＳｐ′の情報記憶装置２２′の情報を読取る。
【００４４】
（実施例２の作用）
前記構成を備えた実施例２のプリンタＵ′では、前記薄板部材Ｓｅ′，Ｓｐ′の一端側は、前記転写ロールＴ１ｋ′上方を覆うように配置され、他端側である導出部Ｓｅ１′，Ｓｐ１′が、媒体搬送路ＳＨ１′を通過して、外方に導出された状態で画像形成装置本体Ｕ１′に配置される。すなわち、図９に示すように、前記薄板部材Ｓｅ′，Ｓｐ′は、感光体Ｐｋ′と転写ロールＴ１ｋ′とにより挟まれ、薄板部材通過隙間６′を介して、導出部Ｓｅ１′，Ｓｐ１′が利用者に視認される状態で装着される。したがって、実施例１と同様に、プリンタＵ′は、前記感光体Ｐｋ′と転写ロールＴ１ｋ′との接触や磨耗等から保護された状態で、運搬、保管、設置され、使用に際して、薄板部材Ｓｅ′，Ｓｐ′が、簡易且つほぼ確実に画像形成装置本体Ｕ１′から抜き取られる。
【実施例３】
【００４５】
図１０は実施例３の薄板部材が装着された画像形成装置の要部拡大図であり、図６に対応する図である。
図１１は実施例３の薄板部材の説明図であり図７に対応する図であって、図１１Ａは薄板部材の表面の図、図１１Ｂは薄板部材の裏面の図である。
次に本発明の実施例３の説明をするが、この実施例３の説明において、前記実施例１の構成要素に対応する構成要素には同様の符号を付して、その詳細な説明は省略する。
この実施例は下記の点で、前記実施例１と相違しているが、他の点では前記実施例１と同様に構成される。
【００４６】
図１１において、実施例３の導電紙Ｓｅでは、実施例１の導電紙Ｓｅが片面にのみ指示表示２１が記載されていたのに替えて、導電紙Ｓｅの表面Ｓｅ２と裏面Ｓｅ３の両面に指示表示２１が記載されている。実施例３では、前記指示表示２１の一例として、引っ張る方向の矢印２１ｃと、利用者がすべき操作を表した説明図からなる指示図２１ｄが記載されている。
【００４７】
図１０において、実施例１の導出部Ｓｅ１が手差し供給口ＴＲ１１ａから外方に導出されるのみであったのに替えて、実施例３では、手差し供給口ＴＲ１１ａから外方に導出される導出部Ｓｅ１が上方に持ち上げられ、貼付部材の一例としてのテープ２３により、導出部Ｓｅ１がプリンタＵに貼付されている。
【００４８】
（実施例３の作用）
前記構成を備えた実施例３のプリンタＵにおいて、導電紙Ｓｅを装着する際、実施例１では導出部Ｓｅ１を手差し供給部ＴＲ１１から外方に導出させたのみであったが、実施例３では導出部Ｓｅ１が手差し供給部ＴＲ１１から外方に導出されて、さらに、上方に折り曲げ、テープ２３で導出部Ｓｅ１がプリンタＵに貼付される。これにより、テープ２３で貼付しない場合にくらべ、運搬、保管、設置の際に、導電紙Ｓｅの脱落が防止されると共に、プリンタＵに対する装着状態がずれにくくなっている。そして、利用者がテープ２３を剥がし導電紙Ｓｅを画像形成装置本体Ｕ１から引き出す際に、利用者の引き出し操作に伴い導出部Ｓｅ１の視認される面が変わっても、両面に指示表示２１が記載されており、指示表示２１は視認され続け、画像形成装置本体Ｕ１から抜き出される。
【実施例４】
【００４９】
図１２は実施例４の薄板部材が装着された画像形成装置の要部拡大図であり、図９に対応する図である。
次に本発明の実施例４の説明をするが、この実施例４の説明において、前記実施例２の構成要素に対応する構成要素には同様の符号を付して、その詳細な説明は省略する。
この実施例は下記の点で、前記実施例２と相違しているが、他の点では前記実施例２と同様に構成される。
【００５０】
実施例４の導電紙Ｓｅ′では、実施例２の導電紙Ｓｅ′が片面にのみ指示表示２１が記載されていたのに替えて、実施例３の導電紙Ｓｅと同様に両面に指示表示２１が記載されている。
実施例２の画像形成装置本体Ｕ１′に装着される導電紙Ｓｅ′は、薄板部材通過隙間６′を介して外方に導出されるのみであったが、実施例４の画像形成装置本体Ｕ１′に装着される導電紙Ｓｅ′は、実施例３と同様に、外方に導出された導出部Ｓｅ１′が、上方に折り曲げられ、テープ２３によりプリンタＵ′に貼付されている。
【００５１】
（実施例４の作用）
前記構成を備えた実施例４のプリンタＵ′において、導電紙Ｓｅ′がプリンタＵ′に貼付されており、実施例３と同様に、導電紙Ｓｅ′の脱落が防止されると共に、プリンタＵ′に対する装着された状態がずれにくく、また、導出部Ｓｅ１′の視認される面が変わっても、利用者に指示表示２１が視認されながら抜き出される。
【００５２】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記各実施例において、画像形成装置の一例としてプリンタＵ，Ｕ′を例示したが、これに限定されず、複写機、ＦＡＸ、あるいはこれら複数の機能を備えた複合機等に適用可能である。
【００５３】
（Ｈ02）前記各実施例において、薄板部材Ｓｅ，Ｓｐ，Ｓｅ′，Ｓｐ′の導出部Ｓｅ１，Ｓｐ１，Ｓｅ１′，Ｓｐ１′には、指示表示２１が記載されていることが望ましいが、これを省略することも可能である。
（Ｈ03）前記各実施例において、薄板部材として、導電紙Ｓｅ，Ｓｅ′または保護シートＳｐ，Ｓｐ′を例示したが、これに限定されず、例えば、摩擦帯電の影響を受け易い像保持体などの保護部分には導電紙が配置され、情報読取り装置の読取り位置には保護シートの情報記憶部材が配置されるような、薄板部材の部分部分で特性の違う薄板部材の使用が可能である。
【００５４】
（Ｈ04）前記各実施例において、導電紙Ｓｅ，Ｓｅ′には、情報記憶部材２２，２２′が設けられていなかったが、例えば、装着される導電紙Ｓｅ，Ｓｅ′の情報読取り装置１１，１１′側に、情報記憶部材２２，２２′を設けることが可能である。
（Ｈ05）前記実施例３，４において、薄板部材の一例としての導電紙Ｓｅ，Ｓｅ′を用いて、導電紙Ｓｅ，Ｓｅ′がテープ２３により貼付される構成を例示したが、これに限定されず、他の薄板部材、例えば、保護シートＳｐ，Ｓｐ′を用いて、保護シートＳｐ，Ｓｐ′がテープ２３により貼付される構成にすることも可能である。
【図面の簡単な説明】
【００５５】
【図１】図１は本発明の実施例１の画像形成装置の斜視説明図である。
【図２】図２は本発明の実施例１の画像形成装置の全体説明図である。
【図３】図３は本発明の実施例１の画像形成装置のサイドカバーが開放された状態の斜視説明図である。
【図４】図４は本発明の実施例１の要部拡大図である。
【図５】図５は薄板部材が装着された画像形成装置の斜視図である。
【図６】図６は薄板部材が装着された画像形成装置の要部拡大図である。
【図７】図７は、薄板部材の説明図であり、図７Ａ、図７Ｂは情報記憶部材を有さない場合の説明図、図７Ｃは情報記憶部材を有した場合の説明図である。
【図８】図８は実施例２の画像形成装置の全体説明図である。
【図９】図９は実施例２の画像形成装置本体に薄板部材が装着された状態の要部拡大図である。
【図１０】図１０は実施例３の薄板部材が装着された画像形成装置の要部拡大図であり、図６に対応する図である。
【図１１】図１１は実施例３の薄板部材の説明図であり図７に対応する図であって、図１１Ａは薄板部材の表面の図、図１１Ｂは薄板部材の裏面の図である。
【図１２】図１２は実施例４の薄板部材が装着された画像形成装置の要部拡大図であり、図９に対応する図である。
【符号の説明】
【００５６】
６，６′…隙間、
１１，１１′…情報読取り装置、
２２，２２′…情報記憶部材、
Ｂ…転写搬送部材、
Ｃ１，Ｃ１′…薄板部材有無判別手段、
Ｃ２，Ｃ２′…作動停止制御手段、
Ｐｋ，Ｐｙ，Ｐｍ，Ｐｃ，Ｐｋ′…像保持体、
Ｑ３，Ｑ３′…転写領域、
Ｒｒ，Ｒｒ′…媒体時期調整部材、
Ｓ…媒体、
Ｓｅ，Ｓｅ′…薄板部材、導電紙、
Ｓｐ，Ｓｐ′…薄板部材、
ＳＰｋ，ＳＰｙ，ＳＰｍ，ＳＰｃ…付勢部材、
Ｓｅ１，Ｓｐ１，Ｓｅ１′，Ｓｐ１′…導出部、
Ｔ１ｋ，Ｔ１ｙ，Ｔ１ｍ，Ｔ１ｃ，Ｔ１ｋ′…転写手段、
ＴＲ１，ＴＲ１′…給紙手段、
Ｕ，Ｕ′…画像形成装置、
Ｕ１，Ｕ１′…画像形成装置本体。
【図１】
0004962398.tif 000002
【図２】
0004962398.tif 000003
【図３】
0004962398.tif 000004
【図４】
0004962398.tif 000005
【図５】
0004962398.tif 000006
【図６】
0004962398.tif 000007
【図７】
0004962398.tif 000008
【図８】
0004962398.tif 000009
【図９】
0004962398.tif 000010
【図１０】
0004962398.tif 000011
【図１１】
0004962398.tif 000012
【図１２】
0004962398.tif 000013